(57)【要約】【課題】  ドアのスムーズな上げ下げを可能にした食器洗浄機を提供する。【解決手段】  洗浄ノズルの噴水圧力により、ドア７の内壁面７ａ近くまで食器ラックＲが移動した場合にドア７を上げると、ドア７の下端に設けられた樋部３０に食器ラックＲが引掛る虞がある。そこで、樋部３０の上部開口３０ａを一部塞ぐラック押戻し部材３２にガイド面３３ａを設け、このガイド面３３ａを、ドア７の外側から内側にかけて傾斜させているので、ドア７を上げた際に、ガイド面３３ａにラックＲの下側の縁が当たりながら、ラックＲは内方に向けて押し戻される。これによって、ラックＲが樋部３０に引っかかることなく、ドア７をスムーズに上げることができる。【選択図】  図３
2005046593.tif 000002
【特許請求の範囲】
【請求項１】
ドアを上下動させることによって、洗浄機本体側に設けられた洗浄室の開閉を行う食器洗浄機において、
前記ドアには、前記ドアの下端に設けられた樋部の上部開口を一部塞ぐラック押戻し部材が設けられ、前記ラック押戻し部材には、前記樋部の前記上部開口の上方において、前記ドアの上方から下方にかけて前記洗浄室内に向かうように傾斜したガイド面が形成されていることを特徴とする食器洗浄機。
【請求項２】
前記ラック押戻し部材は、
前記ガイド面を有するガイド板と、
前記ガイド板の一端から下方に向けて前記ドアの内壁面に沿うように延在する第１の脚板と、
前記ガイド板の他端から下方に向けて前記樋部の外面又は内面に沿うように延在する第２の脚板とを有することを特徴とする請求項１記載の食器洗浄機。
【請求項３】
前記ラック押戻し部材は、
前記ガイド面を有するガイド板と、
前記ガイド板の一端から上方に向けて前記ドアの内壁面に沿うように延在すると共に、前記ドアの側面に配置された回動アームと前記ドアとを連結する軸ピンが挿入される軸挿入孔が設けられた立上げ板と、
前記ガイド板の他端から下方に向けて前記樋部の外面又は内面に沿うように延在する脚板とを有することを特徴とする請求項１記載の食器洗浄機。
【請求項４】
ドアを上下動させることによって、洗浄機本体側に設けられた洗浄室の開閉を行う食器洗浄機において、
前記ドアの内壁面に沿って前記洗浄室内に配置されたドア開閉用のリンク機構と、
前記リンク機構の下部に取り付けられた引っ掛かり防止部材とを備え、
前記引っ掛かり防止部材には、前記洗浄室内に配置される食器ラック側に対向する面において、前記ドアの上方から下方にかけて前記ドア側に向かうように傾斜するガイド面が形成されていることを特徴とする食器洗浄機。
【請求項５】
前記リンク機構は、
下端が第１の支軸を介して前記ドアに回転自在に取り付けられたリンク部と、
下端が前記リンク部の上端に第２の支軸を介して回転自在に取り付けられた揺動アームとを有し、
前記リンク部に取り付けられた前記引っ掛かり防止部材の上端には、前記第２の支軸を外方から覆うように配置された支軸保護片が一体的に形成され、前記引っ掛かり防止部材は、前記リンク部に対して回動自在に取り付けられていることを特徴とする請求項４記載の食器洗浄機。
【請求項６】
前記リンク機構は、
下端が第１の支軸を介して前記ドアに回転自在に取り付けられたリンク部と、
下端が前記リンク部の上端に第２の支軸を介して回転自在に取り付けられた揺動アームとを有し、
前記引っ掛かり防止部材の上端は前記第１の支軸の内端側に取り付けられ、前記引っ掛かり防止部材の下端は前記ドアの内壁面に取り付けられ、前記引っ掛かり防止部材は、中折れ自在な構造を有することを特徴とする請求項４記載の食器洗浄機。
【発明の詳細な説明】
【技術分野】
【０００１】
本発明は、ドアを上下動させることで、洗浄機本体側の洗浄室の開閉が行われるいわゆるドアタイプの食器洗浄機に関するものである。
【背景技術】
【０００２】
従来、このような分野の技術として、特開２００１−２９２９４６号公報がある。この公報に記載された食器洗浄機は、ハンドルの上げ下げによりドアを上下動させて、洗浄室の開閉が行われるいわゆるドアタイプの食器洗浄機であり、食器ラック内に収容した食器類を、洗浄ノズルから噴射する洗浄水で洗浄するタイプの食器洗浄機でもある。さらに、このタイプの食器洗浄機では、食器洗浄途中や食器洗浄完了後にドアを上げた時に、ドアの内壁面に付着した水滴が流れ落ちることを考慮して、ドアの下端には、水平に配回された樋部が形成されている。
【特許文献１】特開２００１−２９２９４６号公報
【特許文献２】実開昭５９−７７９６７号公報
【発明の開示】
【発明が解決しようとする課題】
【０００３】
しかしながら、前述したようなタイプの食器洗浄機では、洗浄ノズルの噴水圧力によって、ドアの内壁面近くまで食器ラックが移動する事態が発生する場合があり、このような状態でドアを上げると、ドアの下端に設けられた樋部にラックが引っ掛かって、ドアをスムーズに上げることができない虞があった。
【０００４】
また、洗浄室を閉じる際に、ドアを下げると、このドアの内壁面に沿って洗浄室内に配置されたドア開閉用のリンク機構から突出する支軸やリンク部分に、食器ラックや食器類が引っ掛かって、ドアをスムーズに下げることができない虞があった。
【０００５】
本発明は、特に、ドアのスムーズな上げ下げを可能にした食器洗浄機を提供することを目的とする。
【課題を解決するための手段】
【０００６】
本発明に係る食器洗浄機は、ドアを上下動させることによって、洗浄機本体側に設けられた洗浄室の開閉を行う食器洗浄機において、ドアには、ドアの下端に設けられた樋部の上部開口を一部塞ぐラック押戻し部材が設けられ、ラック押戻し部材には、樋部の上部開口の上方において、ドアの上方から下方にかけて洗浄室内に向かうように傾斜したガイド面が形成されていることを特徴とする。
【０００７】
洗浄ノズルの噴水圧力により、ドアの内壁面近くまで食器ラックが移動した場合にドアを上げると、ドアの下端に設けられた樋部に食器ラックが引っ掛かる虞がある。そこで、樋部の上部開口を一部塞ぐラック押戻し部材にガイド面を設け、このガイド面を、ドアの上方から下方にかけて洗浄室内に向かうように傾斜させているので、ドアを上げた際に、ガイド面にラックの下側の縁が当たりながら、ラックは内方に向けて押し戻される。これによって、ラックが樋部に引っかかることなく、ドアをスムーズに上げることができる。
【０００８】
また、ラック押戻し部材は、ガイド面を有するガイド板と、ガイド板の一端から下方に向けてドアの内壁面に沿うように延在する第１の脚板と、ガイド板の他端から下方に向けて樋部の外面又は内面に沿うように延在する第２の脚板とを有すると好適である。このような脚板の採用により、樋部の上部開口から立ち上がるようにして、ラック押戻し部材をドアに設置させることができ、樋部に対してラック押戻し部材を簡単に後付けすることができる。
【０００９】
また、ラック押戻し部材は、ガイド面を有するガイド板と、ガイド板の一端から上方に向けてドアの内壁面に沿うように延在すると共に、ドアの側面に配置された回動アームとドアとを連結する軸ピンが挿入される軸挿入孔が設けられた立上げ板と、ガイド板の他端から下方に向けて樋部の外面又は内面に沿うように延在する脚板とを有すると好適である。回動アームが回動すると、軸ピンを介してドアに負荷がかかるので、軸ピンの周囲でドアを補強する必要がある。そこで、ガイド板の一端に立上げ板を設け、この立上げ板を軸ピンまで延ばすことで、一つのラック押戻し部材によって、ラックの押し戻しとドアの補強とを同時に達成させることができる。
【００１０】
本発明に係る食器洗浄機は、ドアを上下動させることによって、洗浄機本体側に設けられた洗浄室の開閉を行う食器洗浄機において、ドアの内壁面に沿って洗浄室内に配置されたドア開閉用のリンク機構と、リンク機構の下部に取り付けられた引っ掛かり防止部材とを備え、引っ掛かり防止部材には、洗浄室内に配置される食器ラック側に対向する面において、ドアの上方から下方にかけてドア側に向かうように傾斜するガイド面が形成されていることを特徴とする。
【００１１】
この食器洗浄機においては、リンク機構の下部に引っ掛かり防止部材が取り付けられ、この引っ掛かり防止部材には、ドアの上方から下方にかけてドア側に向かうように傾斜するガイド面が形成されているので、洗浄室内の所定位置から横方向に飛び出した食器ラックの縁部又は食器類の縁部が、ドアを下げる際に、ガイド面に触れるように摺動するので、食器ラック又は食器類は押し戻されるように後退し、ドアをスムーズに下げることができる。
【００１２】
また、リンク機構は、下端が第１の支軸を介してドアに回転自在に取り付けられたリンク部と、下端がリンク部の上端に第２の支軸を介して回転自在に取り付けられた揺動アームとを有し、リンク部に取り付けられた引っ掛かり防止部材の上端には、第２の支軸を外方から覆うように配置された支軸保護片が一体的に形成され、引っ掛かり防止部材は、リンク部に対して回動自在に取り付けられていると好適である。このような構成を採用すると、ドアを下げる際に、洗浄室内の所定位置から横方向に飛び出した食器ラックの縁部又は食器類の縁部が、第２の支軸に当たることを支軸保護片によって回避することができる。さらに、引っ掛かり防止部材を回動させることで、支軸保護片とリンク部との間に溜まった残菜などのゴミを洗浄室内に落とすことができる。このような回動は、引っ掛かり防止部材のゴミ溜まりを防止し、洗浄室内を清潔に保つことができる。
【００１３】
また、リンク機構は、下端が第１の支軸を介してドアに回転自在に取り付けられたリンク部と、下端がリンク部の上端に第２の支軸を介して回転自在に取り付けられた揺動アームとを有し、引っ掛かり防止部材の上端は第１の支軸の内端側に取り付けられ、引っ掛かり防止部材の下端はドアの内壁面に取り付けられ、引っ掛かり防止部材は、中折れ自在な構造を有すると好適である。このような構成を採用すると、ドアを下げる際に、洗浄室内の所定位置から横方向に飛び出した食器ラックの縁部又は食器類の縁部が、第１の支軸に当たることを回避させることができる。さらに、引っ掛かり防止部材が中折れ構造になっているので、引っ掛かり防止部材の下側部分を裏返すことができ、引っ掛かり防止部材の裏面に付着した汚れや残菜などのゴミを容易に除去することができ、洗浄室内を清潔に保つことができる。
【発明の効果】
【００１４】
本発明によれば、ドアのスムーズな上げ下げを可能にする。
【発明を実施するための最良の形態】
【００１５】
以下、図面を参照しつつ本発明に係る食器洗浄機の好適な実施形態について詳細に説明する。
【００１６】
［第１の実施形態］
図１及び図２に示すように、食器洗浄機１は、ステンレス製の洗浄機本体２を有している。この洗浄機本体２は、洗浄室３が形成された上側部分２ａと、機械室４が形成された下側部分２ｂとに仕切られており、洗浄機本体２の背面側の角部には、上側部分２ａと下側部分２ｂとに渡って一対の支柱６が延在している。また、洗浄機本体２の上側部分２ａには、洗浄室３の開閉を行うための箱型のドア７が設けられている。このドア７は、一対の支柱６により上下動自在に案内されており、前方において水平方向に延在するハンドル８により上下動させられて、洗浄室３の開閉が行われる。なお、洗浄機本体２の底面の四隅には脚部９が取り付けられており、食器洗浄機１の安定した設置が可能となっている。
【００１７】
上述した洗浄室３内には、ラックレール１１が着脱自在に配置されており、このラックレール１１上に、飲食後の食器類（茶碗、コップ、鍋、フライパンなどの「被洗浄物」の総称）が並べられた格子状の食器ラック（図示せず）が載置される。更に、洗浄室３内の上部には、放射状に延びる３本のアームを有する上側洗浄ノズル１２と、一直線状に延びる２本のアームを有する上側濯ぎノズル１３とが同一軸線上において回転自在に配置されている。同様に、洗浄室３内の下部には、下側洗浄ノズル１４と下側濯ぎノズル１５とが同一軸線上において回転自在に配置されている。
【００１８】
このような構成を有する洗浄室３の底部には、機械室４内に突出するように洗浄水タンク１７が形成されており、洗浄室３と洗浄水タンク１７との間には、フィルタ１８が着脱自在に配置されている。この洗浄水タンク１７の前面には、洗浄水タンク１７内に吸込口及び吐出口が位置するように洗浄水供給ポンプ（以下「洗浄ポンプ」という）１９が直付けされており、部品点数の減少化と省スペース化とが達成されている。この洗浄ポンプ１９の吐出口には洗浄水流通管２１が接続され、この洗浄水流通管２１は、洗浄タンク１７内及び洗浄室３内を通って、上側洗浄ノズル１２と下側洗浄ノズル１４とに接続されている。
【００１９】
更に、機械室４内には、外部の給湯器（図示せず）から濯ぎ水が供給される濯ぎ水タンク２２が収容されており、この濯ぎ水タンク２２には、吸込管２３を介して濯ぎ水供給ポンプ（以下「濯ぎポンプ」という）２４が接続されている。この濯ぎポンプ２４は、インペラを下側にした状態で縦置きされており、機械室４内のスペースの有効利用が図られている。この濯ぎポンプ２４の吐出口には吐出管２６が接続され、この吐出管２６の端部２６ａは洗浄水タンク１７内に延在している。そして、吐出管２６の端部２６ａには濯ぎ水流通管２７が接続され、この濯ぎ水流通管２７は、洗浄タンク１７内及び洗浄室３内を通って、上側濯ぎノズル１３と下側濯ぎノズル１５とに接続されている。なお、機械室４内には、食器洗浄機１の動作全般を制御するマイクロコンピュータ等が内蔵された電装ボックス（図示せず）等も収容されている。
【００２０】
ここで、上述した食器洗浄機１の動作について説明する。運転開始ボタンがＯＮにされると洗浄ポンプ１９が始動する。これにより、洗浄水タンク１７内に貯留されていた洗浄水は、洗浄水流通管２１を通って上下の洗浄ノズル１２，１４に圧送され、各洗浄ノズル１２，１４から食器類に向けて噴射される。このとき、各洗浄ノズル１２，１４は洗浄水の噴射反力によって回転するため、洗浄水が食器類に満遍なく当てられて、食器類の汚れが効率良く洗い落とされる。この食器類に噴射された洗浄水は、食器類から洗い落とされた残菜等の汚損物がフィルタ１８により取り除かれつつ洗浄水タンク１７内に回収され、洗浄ポンプ１９により循環供給される。
【００２１】
このような食器類の洗浄が所定時間行われると、洗浄ポンプ１９が停止し、その後、濯ぎポンプ２４が始動する。これにより、濯ぎ水タンク２２内に貯留されていた濯ぎ水は、濯ぎ水流通管２７を通って上下の濯ぎノズル１３，１５に圧送され、各濯ぎノズル１３，１５から食器類に向けて噴射される。このとき、各濯ぎノズル１３，１５もまた、濯ぎ水の噴射反力によって回転するため、濯ぎ水が食器類に満遍なく当てられて、食器類の濯ぎが効率良く行われる。この食器類に噴射された濯ぎ水は、フィルタ１８を通って洗浄水タンク１７内に回収され、次回の食器類の洗浄において洗浄水として利用される。このような食器類の濯ぎが所定時間行われると、濯ぎポンプ２４が停止して、食器洗浄機１の１サイクルの動作が完了する。
【００２２】
図３及び図４に示すように、洗浄完了後にドア７を持ち上げたとき、ドア７の内壁面７ａに付着した水滴が流れ落ちて食器に再付着することを防止するために、ステンレス製のドア７の下端には、水平方向に延在する樋部３０が設けられている。ボックスタイプのドア７では、ドア７の下端において両横及び前側に樋部３０が配置され、ドア７の下縁から滴り落ちるいわゆる「後垂れ」を防止する。このような樋部３０は、後垂れ防止に寄与する一方で次のような不都合がある。洗浄ノズル１２，１４の噴水圧力により、ラックレール１１上で食器ラックＲが横滑りして、ドア７の内壁面７ａ近くまで移動することがある。この場合、ドア７を上げると、ドア７の樋部３０に食器ラックＲが引掛ってドア７をスムーズに上げることができない。
【００２３】
そこで、樋部３０の上部開口３０ａの一部を塞ぐように、ドア７にはステンレス製のラック押戻し部材３２が溶接によって固定される。このラック押戻し部材３２には、樋部３０の上部開口３０ａの上方において、ドア７の上方から下方にかけて洗浄室３内に向かうように傾斜したガイド板３３が設けられ、このガイド板３３の上面にはガイド面３３ａが形成されている。このようなガイド面３３ａは、上方から下方にかけて洗浄室３内に向かうように傾斜しているので、ドア７を上げた際に、ガイド面３３ａに食器ラックＲの下側の縁が当たりながら、食器ラックＲは内方に向けて押し戻される（図５参照）。これにより、食器ラックＲが樋部３０に引っかかることなく、ドア７をスムーズに上げることができる。
【００２４】
さらに、ガイド板３３の一端（後端）には、上方に向けてドア７の内壁面７ａに沿うように延在する立上げ板３４が設けられ、ガイド板３３の他端（前端）には、下方に向けて樋部３０の鉛直内面３０ｂに沿うように延在する脚板３６が設けられている。この脚板３６は、樋部３０の鉛直外面３０ｃと面一をなすように延在する第１の部分３６ａと、樋部３０の鉛直内面３０ｂに沿って延在する第２の部分３６ｂとを段差部３６ｃを介して連結した形状を有している。このような第１の部分３６ａの採用によって、樋部３０の外面３０ｃと脚板３６の外表面とを面一にした場合、洗浄中において残菜などの付着防止が図られる。また、段差部３６ｃの採用によって、樋部３０に対するラック押戻し部材３２の装着性を高めることができる。
【００２５】
さらに、ドア７の側面に配置された回動アーム４０は、ドア７の前面に沿って水平に配置されたハンドル８によって連結されている（図１参照）。また、ハンドル８の回動運動に対してドア７を上下運動させる必要があるので、回動アーム４０は、ドア７の側面に対してリンク部３９を介して連結され、リンク部３９は軸ピン３９ａを介してドア７に接続され、軸ピン３９ａはドア７の軸孔７ｂ内に挿入される。そして、ドア７の昇降時に回動アーム４０が回動すると、軸ピン３９ａを介してドア７に負荷がかかるので、軸ピン３９ａの周囲でドア７を補強する必要がある。
【００２６】
そこで、立上げ板３４には、回動アーム４０とドア７とを連結する軸ピン３９ａが挿入される軸挿入孔４２が設けられている。このように、立上げ板３４を軸ピン３９ａまで延ばすことで、一つのラック押戻し部材３２によって、食器ラックＲの押し戻しとドア７の補強とを同時に達成させることができる。そして、軸ピン３９ａは、ドア７の内壁面７ａに対し、立上げ板３４の上からナット（図示せず）を介して締め付け固定されている。なお、このような形状のラック押戻し部材３２は、軸ピン３９ａの近傍に配置することを予定している（図１参照）。
【００２７】
さらに、ドア７の下端には、前述したラック押戻し部材３２とは別のラック押戻し部材４２が溶接により固定されている（図１参照）。このラック押戻し部材４２は、図６及び図７に示すように、樋部３０の上部開口３０ａの上方において、ドア７の上方から下方にかけて洗浄室３内に向かうように傾斜したガイド板４３が設けられ、このガイド板４３の上面にはガイド面４３ａが形成されている。このようなガイド面４３ａは、ドア７の上方から下方にかけて洗浄室３内に向かうように傾斜しているので、ドア７を上げた際に、ガイド面４３ａに食器ラックＲの下側の縁が当たりながら、食器ラックＲは内方に向けて押し戻される。これにより、食器ラックＲが樋部３０に引っかかることなく、ドア７をスムーズに上げることができる。
【００２８】
さらに、ガイド板４３の一端（後端）には、下方に向けてドア７の内壁面７ａに沿うように延在する第１の脚板４４が設けられ、ガイド板４３の他端（前端）には、下方に向けて樋部３０の鉛直内面３０ｂに沿うように延在する第２の脚板４６が設けられている。この第２の脚板４６は、樋部３０の鉛直外面３０ｃと面一になるように延在する第１の部分４６ａと、樋部３０の鉛直内面３０ｂに沿って延在する第２の部分４６ｂとを段差部４６ｃを介して連結した形状を有している。このような第１の部分４６ａの採用によって、樋部３０の外面３０ｃと第２の脚板４６の外表面とを面一にすることができ、洗浄中において残菜などの付着防止が図られる。また、第１の脚板４４と段差部４６ｃとの協働によって、樋部３０に対するラック押戻し部材４２の装着性を高めることができる。そして、このようなラック押戻し部材４２は、樋部３０に対する簡単な後付けを可能にする。
【００２９】
本発明は、前述した実施形態に限定されるものではない。例えば、図８に示すように、ラック押戻し部材５０には、ガイド板５１の端部から下方に向けて、樋部３０の外面３０ｃに沿うように延在する第２の脚板５２が設けられている。また、ラック押戻し部材３２についても同様の変形が可能である。さらに、フルサイズの食器ラックＲに対応するために、ラック押戻し部材をドア７の両横及び前側に２個ずつ配置したが、ハーフサイズの食器ラックＲに対応させるために、ドア７の両横及び前側に３個以上ずつ配置してもよい。
【００３０】
［第２の実施形態］
図９に示すように、食器洗浄機６０は、ステンレス製の洗浄機本体６２を有している。この洗浄機本体６２は、洗浄室６３が形成された上側部分６２ａと、機械室６４が形成された下側部分６２ｂとに仕切られており、洗浄機本体６２の背面側の角部には、上側部分６２ａと下側部分６２ｂとに渡って一対の支柱６６が延在している。また、洗浄機本体６２の上側部分６２ａには、洗浄室６３の開閉を行うための断面コ字状のドア６７が設けられている。このドア６７は、左右一対の支柱６６に設けられたガイドレール６５により上下動自在に案内されており、前方において水平方向に延在するハンドル６８により上下動させられて、洗浄室６３の開閉が行われる。
【００３１】
このドア６７には、側壁６７ｂの内面に沿って洗浄室６３内に配置されたドア開閉用のリンク機構７０が設けられ、リンク機構７０，７０は、ドア６７の左右において対称になるように配置されている。各リンク機構７０は、下端が第１の支軸７１を介してドア６７の側壁６７ｂに回転自在に取り付けられたリンク部７２と、下端がリンク部７２の上端に第２の支軸７３を介して回転自在に取り付けられた揺動アーム７４とを有している。この揺動アーム７４の上端に設けられた第３の支軸７６は、支柱６６に固定された軸受部７７によって回転自在に保持され、揺動アーム７４の上端には連結アーム７８の下端が固定されている。
【００３２】
この連結アーム７８の上端には、ドア６７の持ち上げ力を補助して、ドア６７を持ち上げるときの操作力を軽減させるための引張りバネ７９の上端がフック８０を介して引っ掛けられている。この引張りバネ７９の下端は、左右の支柱６６，６６間で張り渡された背面パネル８１の下端にフック８２を介して引っ掛けられている。この場合、引張りバネ７９は、重たいドア６７の持ち上げ力を適切に達成するために、背面パネル８１に沿って数本必要であり、これに伴って、連結アーム７８も左右一対の揺動アーム７４，７４間に複数個配置されている。
【００３３】
さらに、ドア６７には、側壁６７ｂの外面に沿うようにレバーアーム８３が配置され、レバーアーム８３，８３は、ドア６７の左右において対称になるように配置されている。レバーアーム８３の基端は支柱６６の上端に回動自在に取り付けられ、レバーアーム８３，８３の先端同士がハンドル６８を介して連結されている。また、レバーアーム８３の途中には外リンク部８４の上端が軸支され、外リンク部８４の下端はドア６７の側壁６７ｂに軸支されている。このような構成により、バンドル６８を握ってドア６７を適切な力で上げ下げすることができる。
【００３４】
さらに、上述した洗浄室６３内には、ラックレールＫが着脱自在に配置されており、このラックレールＫ上に、飲食後の食器類（茶碗、コップ、鍋、フライパンなどの「被洗浄物」の総称）が並べられた格子状の食器ラックＲが載置される。更に、洗浄室６３内の上部には、放射状に延びる３本のアームを有する上側洗浄ノズル（図示せず）と、一直線状に延びる２本のアームを有する上側濯ぎノズル（図示せず）とが同一軸線上において回転自在に配置されている。同様に、洗浄室６３内の下部には、下側洗浄ノズル（図示せず）と下側濯ぎノズル（図示せず）とが同一軸線上において回転自在に配置されている。
【００３５】
また、洗浄完了後にドア６７を持ち上げたとき、ドア６７の内壁面６７ａに付着した水滴が流れ落ちて食器類に再付着することを防止するために、ステンレス製のドア６７の下端には、水平方向に延在する樋部６９が設けられている。ボックスタイプのドア６７では、ドア６７の最下端において両横及び前側に樋部６９が水平に形成され、ドア６７の下縁から滴り落ちるいわゆる「後垂れ」を防止する。
【００３６】
このような構成を有する洗浄室６３の底部には、機械室６４内に突出するように洗浄水タンクТが形成されており、洗浄室６３と洗浄水タンクТとの間には、フィルタ（図示せず）が着脱自在に配置されている。この洗浄水タンクТの前面には、洗浄水タンクТ内に吸込口及び吐出口が位置するように図示しない洗浄水供給ポンプ（以下「洗浄ポンプ」という）が直付けされており、部品点数の減少化と省スペース化とが達成されている。この洗浄ポンプ（図示せず）の吐出口には洗浄水流通管（図示せず）が接続され、この洗浄水流通管（図示せず）は、洗浄タンク６６内及び洗浄室６３内を通って、上側洗浄ノズルと下側洗浄ノズルとに接続されている。
【００３７】
更に、機械室６４内には、外部の給湯器（図示せず）から濯ぎ水が供給される濯ぎ水タンク（図示せず）が収容されており、この濯ぎ水タンクには、吸込管を介して濯ぎ水供給ポンプ（以下「濯ぎポンプ」という）が接続されている。この濯ぎポンプは、インペラを下側にした状態で縦置きされており、機械室６４内のスペースの有効利用が図られている。この濯ぎポンプの吐出口には吐出管が接続され、この吐出管の端部は洗浄水タンクТ内に延在している。そして、吐出管の端部には濯ぎ水流通管が接続され、この濯ぎ水流通管は、洗浄タンク６６内及び洗浄室６３内を通って、上側濯ぎノズルと下側濯ぎノズルとに接続されている。なお、機械室６４内には、食器洗浄機６０の動作全般を制御するマイクロコンピュータ等が内蔵された電装ボックス（図示せず）等も収容されている。
【００３８】
ここで、上述した食器洗浄機６０の動作について説明する。運転開始ボタンがＯＮにされると洗浄ポンプが始動する。これにより、洗浄水タンクТ内に貯留されていた洗浄水は、洗浄水流通管を通って上下の洗浄ノズルに圧送され、各洗浄ノズルから食器類に向けて噴射される。このとき、各洗浄ノズルは洗浄水の噴射反力によって回転するため、洗浄水が食器類に満遍なく当てられて、食器類の汚れが効率良く洗い落とされる。この食器類に噴射された洗浄水は、食器類から洗い落とされた残菜等の汚損物がフィルタにより取り除かれつつ洗浄水タンクТ内に回収され、洗浄ポンプにより循環供給される。
【００３９】
このような食器類の洗浄が所定時間行われると、洗浄ポンプが停止し、その後、濯ぎポンプが始動する。これにより、濯ぎ水タンク内に貯留されていた濯ぎ水は、濯ぎ水流通管を通って上下の濯ぎノズルに圧送され、各濯ぎノズルから食器類に向けて噴射される。このとき、各濯ぎノズルもまた、濯ぎ水の噴射反力によって回転するため、濯ぎ水が食器類に満遍なく当てられて、食器類の濯ぎが効率良く行われる。この食器類に噴射された濯ぎ水は、フィルタを通って洗浄水タンクТ内に回収され、次回の食器類の洗浄において洗浄水として利用される。このような食器類の濯ぎが所定時間行われると、濯ぎポンプが停止して、食器洗浄機６０の１サイクルの動作が完了する。
【００４０】
このような食器洗浄機６０では、洗浄前において食器ラックＲに食器類を正しく収納することが求められているが、大きな皿などを洗う場合に、食器ラックＲから皿の縁が大きくはみ出したり、洗浄室６３内において、食器ラックＲが洗浄室６３の所定位置から横方向にズレてセッティングされるような場合がある。このような状態で、洗浄開始時にドア６７を下げると、ドア６７の内壁面６７ａに沿って洗浄室６３内に配置されたドア開閉用のリンク機構７０に、食器ラックＲや食器類が引っ掛かって、ドア６７をスムーズに下げることができない虞があった。
【００４１】
そこで、図１０に示すように、リンク機構７０の下部には引っ掛かり防止部材８６が設けられ、この引っ掛かり防止部材８６は、上側の第１の引っ掛かり防止部材８７と下側の第２の引っ掛かり防止部材８８とからなる。図１０及び図１１に示すように、上側の第１の引っ掛かり防止部材８７は、リンク部７２にネジ８５によって固定され、第１の引っ掛かり防止部材８７の横幅はリンク部７２より小さく、第１の引っ掛かり防止部材８７の長さはリンク部７２より短くなっている。さらに、第１の引っ掛かり防止部材８７には、洗浄室６３内に配置される食器ラックＲ側に対向する面において、ドア６７の上方から下方にかけてドア６７側に向かうように傾斜するガイド面８９が形成されている。
【００４２】
さらに、引っ掛かり防止部材８７の上端には、第２の支軸７３を外方から覆うように配置された支軸保護片８７ａが一体的に形成され、この支軸保護片８７ａは、リンク部７２に対して平行に延在すると共に、揺動アーム７４よりも内側に位置するよう上方に向けて突出する。従って、第２の支軸７３及び揺動アーム７４の下端は、リンク部７２と支軸保護片８７ａとの間に形成された支軸収容空間９０内に収容されることになる。その結果、ドア６７を下げる際、食器類の一例である皿Ｄの縁部が、ガイド面８９を滑りながら、洗浄室６３内に押し戻されるように後退し、第２の支軸７３に皿Ｄの縁部が当たることを支軸保護片８７ａによって回避されるので、ドア６７をスムーズに下げることができる。なお、食器ラックＲについても同様である。
【００４３】
また、図１０及び図１２に示すように、板材の曲げ形成によって成形された下側の第２の引っ掛かり防止部材８８には、洗浄室６３内に配置される食器ラックＲ側に対向する面において、ドア６７の上方から下方にかけてドア６７側に向かうように傾斜するガイド面９１が形成されている。第２の引っ掛かり防止部材８８の上端には、第１の支軸７１を外方から覆うように配置された支軸保護片８８ａが一体的に形成され、この支軸保護片８８ａには軸ピン９２が固定されている。この軸ピン９２は、第１の支軸７１として利用され、リンク部７２の下端に外側から挿入されると共に、ドア６７の内壁面６７ａから突出する台座部６７ｃにネジ６７ｄを介して取り付けられている。そして、第２の引っ掛かり防止部材８８の下端は、樋部６９内に差し込まれるように配置されると共に、ドア６７の内壁面６７ａに当接するように配置されている。
【００４４】
従って、第１の支軸７１及びリンク部７２の下端は、ドア６７と引っ掛かり防止部材８８との間に形成された支軸収容空間９３内に収容されることになる。その結果、ドア６７を下げる際、食器類の一例である皿Ｄの縁部が、ガイド面９１を滑りながら、洗浄室６３内に押し戻されるように後退し、第１の支軸７１に皿Ｄの縁部が当たることが回避されるので、ドア６７をスムーズに下げることができる。なお、食器ラックＲについても同様である。
【００４５】
図１３に示すように、他の第１の引っ掛かり防止部材８７Ａとして、支軸保護片８７ａの裏面側には逆Ｖ字状の傾斜部９４が形成されている。このような傾斜部９４によって、支軸保護片８７ａとリンク部７２との間の支持収容空間９０内に残菜などのゴミが溜まり難く、ゴミは、傾斜部９４を伝って洗浄室６３内に落下させることができる。これによって、第１の引っ掛かり防止部材８７Ａのゴミ溜まりを防止し、洗浄室６３内を清潔に保つことができる。
【００４６】
図１４に示すように、更に他の第１の引っ掛かり防止部材８７Ｂの裏面側には、細長い差込み凸部９５が形成され、リンク部７２の中央には、リンク部７２の長手方向に沿って延在する差込み孔９６が形成されている。そして、差込み凸部９５を差込み孔９６内に嵌め込むことで、第１の引っ掛かり防止部材８７Ｂの回り止めが達成される。さらに、差込み凸部９５には雄ネジ部９７の基端が埋め込まれ、この雄ネジ部９７にリング体９８を螺着させることで、第１の引っ掛かり防止部材８７Ｂの抜け止めが達成される。
【００４７】
さらに、差込み孔９６の上端に拡大穴９９が形成され、この拡大穴９９は、差込み凸部９５の全長よりも大きな直径で形成されているので、拡大穴９９の部分にまで差込み凸部９５を移動させることで、第１の引っ掛かり防止部材８７Ｂの回転が可能になる。従って、第１の引っ掛かり防止部材８７Ｂを上方にスライドさせて、９０度回転させることにより、支軸保護片８７ａとリンク部７２との間の支軸収容空間９０内に溜まった残菜などのゴミを洗浄室６３内に落下させることができる。このような回動は、引っ掛かり防止部材８７Ｂのゴミ溜まりを防止し、洗浄室６３内を清潔に保つことができる。
【００４８】
図１５に示すように、他の第２の引っ掛かり防止部材８８Ａは、中折れ自在な構造を有する。すなわち、支軸保護片８８ａの下端と本体部８８ｂの上端とを蝶番１００で連結しているので、第２の引っ掛かり防止部材８８Ａの下側に位置する本体部８８ｂを裏返すことができ、引っ掛かり防止部材８８Ａの裏面に付着した汚れや残菜などのゴミを容易に除去することができ、洗浄室６３内を清潔に保つことができる。
【００４９】
さらに、樋部６９には、永久磁石１０１がネジ止めされており、磁性体からなる第２の引っ掛かり防止部材８８Ａの下端を、永久磁石１０１を介して樋部６９の表面に着脱自在に固着させることができる。これにより、引っ掛かり防止部材８８Ａの裏面側を清掃する際に、本体部８８ｂを裏返すように持ち上げることができ、引っ掛かり防止部材８８Ａの本体部８８ｂをドア６７からワンタッチで離間させることができ、第２の引っ掛かり防止部材８８Ａの容易な清掃を可能にする。
【図面の簡単な説明】
【００５０】
【図１】本発明に係る食器洗浄機の第１の実施形態を示す図である。
【図２】図１に示した食器洗浄機の縦断面図である。
【図３】本発明に係る食器洗浄機に適用するラック押戻し部材の第１の例を示す斜視図である。
【図４】図３に示したラック押戻し部材の断面図である。
【図５】ドアを上げた状態を示す断面図である。
【図６】本発明に係る食器洗浄機に適用するラック押戻し部材の第２の例を示す斜視図である。
【図７】図６に示したラック押戻し部材の断面図である。
【図８】本発明に係る食器洗浄機に適用するラック押戻し部材の第３の例を示す断面図である。
【図９】本発明に係る食器洗浄機の第２の実施形態を示す断面図である。
【図１０】図１０に示した食器洗浄機に適用するリンク機構を示す正面図である。
【図１１】第１の引っ掛かり防止部材を示す斜視図である。
【図１２】第２の引っ掛かり防止部材を示す斜視図である。
【図１３】第１の引っ掛かり防止部材の他の例を示す斜視図である。
【図１４】第１の引っ掛かり防止部材の更に他の例を示す斜視図である。
【図１５】第２の引っ掛かり防止部材の他の例を示す斜視図である。
【符号の説明】
【００５１】
１…食器洗浄機、２…洗浄機本体、３…洗浄室、７…ドア、７ａ…ドアの内壁面、３０…樋部、３０ａ…樋部の上部開口、３０ｂ…樋部の内面、３０ｃ…樋部の外面、３２，４２，５０…ラック押戻し部材、３３，４３…ガイド板、３３ａ，４３ａ…ガイド面、３４…立上げ板、３６…脚板、３９ａ…軸ピン、４０…回動アーム、４２…軸挿入孔、４４…第１の脚板、４６，５２…第２の脚板、６０…食器洗浄機、６２…洗浄機本体、６３…洗浄室、６７…ドア、６７ａ…ドアの内壁面、７０…リンク機構、７１…第１の支軸、７２…リンク部、７３…第２の支軸、７４…揺動アーム、８６…引っ掛かり防止部材、８７，８７Ａ，８７Ｂ…第1の引っ掛かり防止部材、８７ａ，８８ａ…支軸保護片、８８，８８Ａ…第２の引っ掛かり防止部材、８９，９１…ガイド面、Ｒ…食器ラック。
【図１】
2005046593.tif 000003
【図２】
2005046593.tif 000004
【図３】
2005046593.tif 000005
【図４】
2005046593.tif 000006
【図５】
2005046593.tif 000007
【図６】
2005046593.tif 000008
【図７】
2005046593.tif 000009
【図８】
2005046593.tif 000010
【図９】
2005046593.tif 000011
【図１０】
2005046593.tif 000012
【図１１】
2005046593.tif 000013
【図１２】
2005046593.tif 000014
【図１３】
2005046593.tif 000015
【図１４】
2005046593.tif 000016
【図１５】
2005046593.tif 000017